(57)【要約】【課題】排水用の逆止弁と弁座との密着が良好なダイビングマスクの提供。【解決手段】ダイビングマスク１のノーズカバー８およびその近傍に形成された逆止弁１６を有する排水部１１の弁座１９が、ノーズカバー８を形成している柔軟弾性材料と一体の弾性材料によって形成され、ノーズカバー８の底部１３には弁座１９の近傍に弁座１９を形成している弾性材料よりも硬質で変形し難いプラスチックおよび金属いずれかの材料で形成されて弁座１９に沿って延びる環状の部材２３が埋め込まれる。【選択図】図２
2005280563.tif 000002
【特許請求の範囲】
【請求項１】
互いに直交する前後方向と幅方向と高さ方向とを有し、前記前後方向の前方に位置しており透明硬質材料で形成されたレンズを含むレンズ部と、前記レンズ部から後方向へ延びており柔軟弾性材料で形成されたスカート部と、前記スカート部の周縁部分を顔面に密着させることが可能なヘッドバンド部とを有し、前記スカート部には前記レンズ部の前記幅方向中央に位置する部分にノーズカバーが形成され、前記ノーズカバーの底部および前記ノーズカバーの近傍のいずれかには前記スカート部の外側に向かって開放可能な逆止弁つきの排水部が形成されているダイビングマスクであって、
前記排水部は、前記逆止弁に形成された取り付け用軸部を挿入するための透孔を有する中央環状部と、前記中央環状部の周囲に形成されて前記中央環状部から放射状に延びる複数のスポーク部によって互いに仕切られている複数の排水孔と、前記排水孔よりも前記中央環状部から遠い位置にあって前記中央環状部の周方向へ延びるとともに前記逆止弁に向かって突出している弁座とを有し、前記弁座が前記スカート部の前記柔軟弾性材料と一体の弾性材料で形成されており、前記ノーズカバーの底部には前記弁座の近傍に前記弁座の弾性材料よりも硬質で変形し難いプラスチックおよび金属いずれかの材料で形成されていて前記弁座に沿って延びる環状の部材が埋められていることを特徴とする前記マスク。
【請求項２】
前記排水部では、前記中央環状部が前記環状の部材と同じ硬質の材料で画成された前記透孔を含み、前記中央環状部における前記硬質の材料と前記環状の部材とが前記スポーク部に延在する前記硬質の材料を介して連結されている請求項１記載のマスク。
【発明の詳細な説明】
【技術分野】
【０００１】
この発明はダイビングマスクに関し、より詳しくは逆止弁つきの排水部を有するダイビングマスクに関する。
【背景技術】
【０００２】
従来、ダイビングマスクのノーズカバー等に逆止弁つきの排水部を設けたものは周知である。例えば、米国特許５，８９０，２３４号明細書（特許文献１）および同５，９７９，４４１号明細書（特許文献２）に開示されたダイビングマスクは、スカート部と一体に形成されたノーズカバーと、その底部に取り付けられた環状部材とを有する。環状部材は、複数の排水孔と排水孔の外側に向かって開くことが可能な逆止弁とを有し、逆止弁は環状部材に形成された弁座に開閉可能に密着している。その環状部材は、スカート部とは別の材料で形成されており、金型を使ってスカート部を成形するときに、それと一体化し得るようにその金型にセットされる。
【特許文献１】米国特許５，８９０，２３４号明細書
【特許文献２】米国特許５，９７９，４４１号明細書
【発明の開示】
【発明が解決しようとする課題】
【０００３】
従来技術において、弁座を有する環状部材は、スカート部を形成する柔軟にして弾性を有するゴム状材料とは異なる硬質で変形し難いプラスチック材料や金属材料で形成され、その環状部材には０．３〜０．５ｍｍ程度の高さを有する環状の突起が弁座として設けられる。一般に、この環状部材は、スカート部を成形するための金型の所定位置にセットされ、その後に閉じた金型では、スカート部を成形するための溶融したプラスチック材料が高圧で注入されて、ノーズ部と環状部材とが一体化しているスカート部を得ることができる。このようにしてスカート部が成形される過程では、溶融したプラスチック材料が、環状部材にまで流れ、本来はそのプラスチック材料で覆われるべきでない弁座の一部分を覆うことがある。弁座を覆うプラスチック材料は、バリと呼ばれるものであり、このバリを除去しなければ弁座と逆止弁との良好な密着状態が得られない。
【０００４】
この発明が課題とするところは、逆止弁つきの排水孔を有する従来技術のダイビングマスクに対して、弁座と逆止弁との良好な密着状態が容易に得られるように改良を施すことにある。
【課題を解決するための手段】
【０００５】
前記課題を解決するために、この発明が対象とするのは、互いに直交する前後方向と幅方向と高さ方向とを有し、前記前後方向の前方に位置しており透明硬質材料で形成されたレンズを含むレンズ部と、前記レンズ部から後方向へ延びており柔軟弾性材料で形成されたスカート部と、前記スカート部の周縁部分を顔面に密着させることが可能なヘッドバンド部とを有し、前記スカート部には前記レンズ部の前記幅方向中央に位置する部分にノーズカバーが形成され、前記ノーズカバーの底部および前記ノーズカバーの近傍のいずれかには前記スカート部の外側に向かって開放可能な逆止弁つきの排水部が形成されているダイビングマスクである。
【０００６】
かかるダイビングマスクにおいて、この発明が特徴とするところは、次のとおりである。前記排水部は、前記逆止弁に形成された取り付け用軸部を挿入するための透孔を有する中央環状部と、前記中央環状部の周囲に形成されて前記中央環状部から放射状に延びる複数のスポーク部によって互いに仕切られている複数の排水孔と、前記排水孔よりも前記中央環状部から遠い位置にあって前記中央環状部の周方向へ延びるとともに前記逆止弁に向かって突出している弁座とを有する。前記弁座は、前記スカート部の前記柔軟弾性材料と一体の弾性材料で形成されている。前記ノーズカバーの底部には、前記弁座の近傍に前記弁座の弾性材料よりも硬質で変形し難いプラスチックおよび金属いずれかの材料で形成されていて前記弁座に沿って延びる環状の部材が埋められている。
【０００７】
この発明の実施態様の一つにおいて、前記排水部では、前記中央環状部が前記環状の部材と同じ硬質の材料で画成された前記透孔を含み、前記中央環状部における前記硬質の材料と前記環状の部材とが前記スポーク部に延在する前記硬質の材料を介して連結されている。
【発明の効果】
【０００８】
この発明に係るダイビングマスクでは、逆止弁に対する弁座がスカート部に使用された弾性材料と一体の弾性材料で形成されるから、スカート部に使用された弾性材料はバリとなって弁座を覆うことがない。また、中央環状部に含まれる硬質の材料とその硬質材料からなる環状の部材とをスポーク部に延在する硬質の材料で連結しておくと、排水部における透孔と環状の部材とを硬質の材料によって同時に形成することができる。
【発明を実施するための最良の形態】
【０００９】
添付の図面を参照して、この発明に係るダイビングマスクの詳細を説明すると、以下のとおりである。
【００１０】
図１に斜視図で示されたダイビングマスク１は、その前後方向と、幅方向と、高さ方向とが互いに直交する双頭矢印Ａ，Ｂ，Ｃで示されている。このマスク１は、一対のレンズ２とこれらレンズ２の周縁部分を保持するレンズホルダー３とからなるレンズ部４と、レンズ部４から後方へ延びるスカート部６と、レンズ部４の両側縁部分から後方へ延びるヘッドバンド部７とを有し、スカート部６ではレンズ部４の幅方向中央に位置する部分に前方へ向かって突出するノーズカバー８が形成されている。ノーズカバー８には、鎖線で示された排水部１１が形成されている。かようなマスク１において、レンズ２はポリカーボネート樹脂等のプラスチックや無機ガラス等の透明硬質材料で形成され、レンズホルダー３はポリプロピレン樹脂、ナイロン樹脂、ポリカーボネート樹脂、ＡＢＳ樹脂等のプラスチックで形成されている。スカート部６とヘッドバンド部７とは、シリコンゴムや天然ゴム等の柔軟弾性材料であるエラストマー等によって形成されている。
【００１１】
図２，３は、図１の部分破断側面図と図２のＩＩＩ−ＩＩＩ線切断面の拡大図である。ノーズカバー８は、側壁部１２と底部１３とを有し、底部１３には排水部１１が形成されている。排水部１１は、底部１３とは別体に形成されている排水用逆止弁１６の他に、底部１３に形成されている逆止弁取り付け用の透孔１７と、透孔１７を中央にしてその周囲に形成された複数の排水孔１８と、透孔１７から放射状に延びるスポーク部２５と、透孔１７を中央にして排水孔１８の外側に形成された環状の弁座１９とを含んでおり、図１には、これらのうちの透孔１７と排水孔１８とスポーク部２５とが鎖線で示されている。逆止弁１６は、円盤状の薄膜部２１と、薄膜部２１の中央から直立して透孔１７に圧力嵌めされた取り付け用の軸部２２とを有し、シリコンゴム等の柔軟にして弾性変形容易なエラストマーで形成されている。この透孔１７と排水孔１８と弁座１９とが形成されている底部１３では、スカート部６を形成しているエラストマーよりも硬質で変形し難い例えばポリカーボネート樹脂等のプラスチックおよび金属のいずれかからなる環状部材２３がスカート部６を形成しているエラストマーによって被覆されている。
【００１２】
図４は、環状部材２３の部分破断斜視図である。環状部材２３は、中央環状部２４と、周縁環状部２６と、これら両部を連結する複数のスポーク部２７とを有し、中央環状部２４の内側には中央部透孔２８が形成され、中央環状部２４と周縁環状部２６との間には、スポーク部２７によってこれら両部２４，２６の周方向を互いに仕切られた複数の周縁部透孔２９が形成されている。かような環状部材２３は、金型を使用してスカート部６を射出成形するときに、金型の所定部位に予めセットされ、成形後には図２，３の如くノーズカバー８の底部１３に納まる。成形後の環状部材２３では、中央環状部２４における中央部透孔２８の周縁部分がエラストマーに覆われることなく排水部１１における透孔１７を形成する。周縁部透孔２９は、その周縁部分がエラストマーによって覆われた状態で排水部１１における排水孔１８を形成する。スポーク部２７は、エラストマーによって覆われて図１のスポーク部２５を形成する。ノーズカバー８を形成するエラストマーは、環状部材３の周縁環状部２６の全体を被覆するとともに、図３において明らかなように、環状部材２３の近傍に弁座１９を形成する。
【００１３】
かようなマスク１の排水部１１では、常態において逆止弁１６の薄膜部２１がノーズカバー８の弁座１９に外側から密着している。ノーズカバー８の内部に水が溜まったきには、マスク着用者が鼻から瞬間的に出す強い息によって逆止弁１６を外側に向かって開放すれば、溜まった水が外に出る。このように作用する排水部１１においては、逆止弁１６の薄膜部２１と弁座１９とがともに柔軟なエラストマーで形成されているが、弁座１９は、その直近の部分に硬質で変形し難い環状部材２３を有するから、徒に大きく変形することがなく、一般に硬質の材料で形成されている弁座と同様に、逆止弁１６とよく密着する。また、この排水部１１であれば、予め弁座が形成された硬質の材料からなる環状部材を金型にセットして、ノーズカバーを成形するときにそのノーズカバーと一体化させるという従来技術の製造工程によらずしてノーズカバー８を得ることができるから、スカート部６を射出成形するときにノーズカバーを形成するためのエラストマーがバリとなって環状部材の弁座を覆うという問題を生じない。
【００１４】
図５，６は、実施態様の一例を示す図３と同様な図と、図５における排水部１１を形成するために使用される排水部材１１１の部分破断斜視図である。図５における排水部１１は、ノーズカバー８とは別体に形成されている排水部材１１１がスカート部６を成形するための金型に予めセットされ、その金型の内部でノーズカバー８を形成するためのエラストマーと一体化することによって得られる。排水部材１１１は、図２において使用されているものと同一の環状部材２３と、環状部材２３の中央環状部２４の外周寄りの部分と、周縁環状部２６の内周寄りの部分と、スポーク部２７とを覆うエラストマー１１２とからなり、環状部材２３のうちで、中央環状部２４の内周寄りの部分１１３と、周縁環状部２６の外周寄りの部分１１４とが露出している。かかる排水部材１１１では、図５において透孔１７となるべき部位が硬質のプラスチックで形成されるとともに弁座１９となるべき部位がエラストマー１１２によって既に形成されている。エラストマー１１２には、スカート部６に使用されるエラストマーと同じもの、またはそのエラストマーとの成形時における溶着が容易で柔軟なエラストマーが使用される。排水部材１１１をノーズカバー８と一体化するために金型にセットするときには、環状部材２３の周縁環状部２６を図６の上下方向から覆っている部分のエラストマー１１２、即ち図６に示された部分１１６，１１７を金型で挟み、その部分１１６，１１７よりも内側にノーズカバーを成形するためのエラストマーがバリとなって流入することを防止する。一方、部分１１６，１１７よりも外側においてエラストマー１１２とノーズカバー８のエラストマートとを一体化させる。部分１１６，１１７は、エラストマー１１２からなるから、これらの部分における排水部材１１１の厚さが金型のキャビティの深さに比べて多少大きくても、金型は完全に閉じることが可能で、バリを発生させて、既に形成されている弁座１９に損傷を与えるというようなことがない。
【００１５】
図示例のダイビングマスク１は、左右にレンズ２を有する二眼タイプのものであったが、この発明は、一眼タイプのダイビングマスクで実施することも可能である。また図示例では、排水部１１がノーズカバー８の底部１３に設けられていたが、スカート部６のその他の部位、例えばノーズカバーの近傍の部位に排水部１１が設けられているダイビングマスクでこの発明を実施することも可能である。
【産業上の利用可能性】
【００１６】
この発明によれば排水用の逆止弁と弁座との密着が良好なダイビングマスクの製造が可能になる。
【図面の簡単な説明】
【００１７】
【図１】ダイビングマスクの斜視図。
【図２】ダイビングマスクの部分破断側面図。
【図３】図２のＩＩＩ−ＩＩＩ線切断面の拡大図。
【図４】環状部材の斜視図。
【図５】実施態様の一例を示す図３と同様な図。
【図６】排水部材の部分破断斜視図。
【符号の説明】
【００１８】
１    ダイビングマスク
４    レンズ部
６    スカート部
７    ヘッドバンド部
８    ノーズカバー
１１    排水部
１３    底部
１６    逆止弁
１７    透孔
１８    排水孔
１９    弁座
２２    軸部
２３    環状部材
２４    中央部（中央環状部）
２５    スポーク部
２６    中央部（周縁環状部）
Ａ    前後方向
Ｂ    幅方向
Ｃ    縦方向
【図１】
2005280563.tif 000003
【図２】
2005280563.tif 000004
【図３】
2005280563.tif 000005
【図４】
2005280563.tif 000006
【図５】
2005280563.tif 000007
【図６】
2005280563.tif 000008